(57)【要約】　　　（修正有）【課題】ケース内におけるメモリーの位置精度の向上が図れる記録テープカートリッジの提供を課題とする。【解決手段】記録テープＴが巻装された単一のリールを回転可能に収容する上ケースと下ケース１８とからなる略矩形状のケース１２Ｂと、ケース１２Ｂのドライブ装置への装填方向後側の両角部近傍に配設され、上ケースと下ケース１８とを接合させるビスボス６２、６４と、記録容量等の各種情報が記憶され、ケース１２内に所定の傾斜角度で配置される非接触型のメモリーＭと、を備えた記録テープカートリッジ１０において、平面視で、ビスボス６２、６４同士を結ぶ仮想直線Ｔ上に、メモリーＭの少なくとも一部をオーバーラップさせる。【選択図】　　　図３
2004046943.tif 000002
【特許請求の範囲】
【請求項１】
記録テープが巻装された単一のリールを回転可能に収容する上ケースと下ケースとからなる略矩形状のケースと、
前記ケースのドライブ装置への装填方向後側の両角部近傍に配設され、上ケースと下ケースとを接合させるビスボスと、
記録容量等の各種情報が記憶され、前記ケース内に所定の傾斜角度で配置される非接触型のメモリーと、
を備えた記録テープカートリッジにおいて、
平面視で、前記ビスボス同士を結ぶ仮想直線上に、前記メモリーの少なくとも一部をオーバーラップさせたことを特徴とする記録テープカートリッジ。
【発明の詳細な説明】
【０００１】
【発明の属する技術分野】
本発明は、主にコンピューター等の記録再生媒体として使用される磁気テープ等の記録テープが巻装された単一のリールをケース内に収容してなる記録テープカートリッジに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。しかして、磁気テープカートリッジのリール及びドライブ装置の巻取リールを同期して回転させることにより、磁気テープにデータを記録したり、磁気テープに記録されたデータの再生ができる。
【０００４】
このような磁気テープカートリッジは、通常、ライブラリー装置と呼ばれる収納庫に多数収納されて保管されており、ロボットハンド等を備えた把持手段によって、所望とする磁気テープカートリッジの両側壁の後端側が把持されて、ライブラリー装置の各収納部から取り出されるようになっている。そして、そのまま複数のドライブ装置の１つに装填されることにより、その磁気テープカートリッジにデータの記録又はその磁気テープカートリッジに記録されていたデータの再生が行われるようになっている。
【０００５】
また、ライブラリー装置から取り出された磁気テープカートリッジが、スムーズにドライブ装置の１つに装填されるように、各磁気テープカートリッジの後壁内側には、その磁気テープカートリッジの記録容量や記録形式等の各種情報を記憶したカード型のメモリーボードが内設されている。このメモリーボードは電磁波により非接触でアクセス（読み取り・書き込み）するもので、メモリーボードに記憶されている各種情報をロボットハンドに設けられた読取装置やドライブ装置に設けられた読取書込装置に非接触で読み取らせ、その磁気テープカートリッジにデータの記録又は記録されたデータの再生ができるドライブ装置を予め制御装置等に認識させることにより、ロボットハンド等の把持手段の動作にロスがないようにしている。
【０００６】
図６には従来の磁気テープカートリッジ７０が示されている。この磁気テープカートリッジ７０は、上ケースと下ケースとが下側からビスがねじ込まれて接合されるようになっており、図示するように、そのためのビスボス８０、８２、８４、８６が設けられている。そして、メモリーボードＭが磁気テープカートリッジ７０の後壁７２（矢印Ｐ方向が前壁）の内側で、かつビスボス８０の近傍に所定角度傾斜した姿勢で配設されている。つまり、メモリーボードＭは、後面（後壁７２）側及び下面７４側の両方（２方向）からアクセス可能なように、側面視４５°の仰角で配置され、かつ、落下等による衝撃を受けてもその位置がずれないように、比較的強度が確保される接合部分、即ちビスボス８０の近傍に配設されている。
【０００７】
したがって、ロボットハンドに設けられた読取装置７８は、磁気テープカートリッジ７０の後面（後壁７２）側から好適にメモリーボードＭへアクセスする（電磁波を送受信する）ことができ、かつ、ドライブ装置に設けられた読取書込装置７６は、磁気テープカートリッジ７０の下面７４側から好適にメモリーボードＭへアクセスする（電磁波を送受信する）ことができる。なお、読取書込装置７６とは、情報の読み取りだけではなく、情報の書き込みも行える装置である。
【０００８】
【発明が解決しようとする課題】
このようにメモリーボードＭを上ケースと下ケースとの接合部位であるビスボス８０の近傍に配設すると、落下等によって衝撃を受けてもその位置ずれが抑制されるので好ましい。しかしながら、メモリーボードＭに対する読取装置７８及び読取書込装置７６のアクセスを確実なものとするためには、読取装置７８及び読取書込装置７６からメモリーボードＭまでの距離（電磁波を送受信するための距離）を精度よく保つ必要があり、そのためには、ケース内において、より精確にメモリーボードＭが位置決めされていなければならない。
【０００９】
そこで、本発明は、ケース内におけるメモリー（メモリーボード）の位置精度を向上させることができる記録テープカートリッジを得ることを目的とする。
【００１０】
【課題を解決するための手段】
上記の目的を達成するために、本発明に係る請求項１に記載の記録テープカートリッジは、記録テープが巻装された単一のリールを回転可能に収容する上ケースと下ケースとからなる略矩形状のケースと、前記ケースのドライブ装置への装填方向後側の両角部近傍に配設され、上ケースと下ケースとを接合させるビスボスと、記録容量等の各種情報が記憶され、前記ケース内に所定の傾斜角度で配置される非接触型のメモリーと、を備えた記録テープカートリッジにおいて、平面視で、前記ビスボス同士を結ぶ仮想直線上に、前記メモリーの少なくとも一部をオーバーラップさせたことを特徴としている。
【００１１】
このように、平面視で、ビスボス同士を結ぶ仮想直線上に、メモリーの少なくとも一部をオーバーラップさせるようにすると、ケース内に設けるメモリーの位置を外側から、より明確に把握できるようになる。つまり、ケース内に設けるメモリーの位置が制限されることになるので、そのメモリーにアクセスする読取装置や書込装置との距離精度を向上させることができ、読み取り精度や書き込み精度を向上させることができる。
【００１２】
【発明の実施の形態】
以下、本発明の実施の形態に係る記録テープカートリッジ１０を図１乃至図４に基づいて説明する。まず、最初に、記録テープカートリッジ１０の全体構成を簡単に説明し、次いで本発明に係る要部について詳細に説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１３】
図１、図２で示すように、記録テープカートリッジ１０は、平面視で略矩形状のケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部が平面視でそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１４】
また、上ケース１６及び下ケース１８の周壁１６Ａ、１８Ａの切り取られた角部が磁気テープＴの引き出し用の開口２０とされ、この開口２０から引き出される磁気テープＴの自由端には、ドライブ装置の引出手段によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００１５】
また、ケース１２の開口２０の内側には、ケース１２内においてリーダーピン２２を位置決め、保持する上下一対のピン保持部２４が設けられている。ピン保持部２４は、図３、図４でも示すように、略半円筒形状をしており、その凹部２４Ａ内に直立した状態のリーダーピン２２の両端部が保持される。そして、ピン保持部２４の外周壁の磁気テープＴ引き出し側は開放しており、リーダーピン２２が出入する出入口となっている。
【００１６】
ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３（図３、図４参照）に、その基部が挿入されて固定配置されるようになっており、この板ばね２５の二股状の先端部がリーダーピン２２の上下端に係合してリーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００１７】
更に、下ケース１８の中央部には、リール１４の図示しないリールギアを外部に露出するためのギア開口２６が設けられており、リール１４はリールギアがドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００１８】
この遊動規制壁２８の開口２０近傍の端部には、内部に位置規制用穴が形成された袋部２８Ａが連設されており、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されており、下面側における位置規制用穴の周囲（袋部２８Ａ、２９の肉厚と同じか、それよりも少し広い部分）がドライブ装置に対する位置決め用の基準面となっている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００１９】
また、下ケース１８における袋部２９が設けられている前壁１２Ａと遊動規制壁２８との間の所定位置には、上下一対のビスボス６０が設けられており、下ケース１８における後部内壁１８Ｂの両端部と、左壁１２Ｃ及び右壁１２Ｂとの間の両角部における所定位置にも、上下一対のビスボス６２、６４が設けられている。このような上下一対のビスボス６０、６２、６４は、下ケース１８側が貫通しており、上ケース１６側が非貫通となっている。
【００２０】
また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２１】
また、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２２】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。このように、スリット４０が周壁１６Ａの一部を上側に残して形成されると、ケース１２の剛性を維持することができるので好ましい。特にスリット４０を規定する上側の壁が傾斜壁部３４から一体に連設されていると、更に好ましい。
【００２３】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁にも形成され、例えばドライブ装置の引き込み手段が係合する係合部とされたり、その底面（下向きの面）がドライブ装置内での位置決め用の基準面とされたりするようになっている。
【００２４】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁の上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００２５】
また、上ケース１６及び下ケース１８において、開口２０近傍から遊動規制壁２８が最も右壁１２Ｂに接近する部位近傍まで（以下、前半という）と、スリット４０の後端近傍から後壁の近傍まで（以下、後半という）、後述するドア５０の凸部５１を内面側及び外面側の両側方から挟み込むように支持する所定高さ（例えば、１．０ｍｍ〜１．５ｍｍ程度）のガイド壁部４２が立設されている。
【００２６】
このガイド壁部４２は、上ケース１６と下ケース１８とではその長さが異なっており、上ケース１６側の方が下ケース１８側よりも後半側が長く形成されている。これは、下ケース１８の後部内壁１８Ｂの右壁１２Ｂ側に、後述するメモリーボードＭを所定角度で傾斜配置しているからである。なお、後半のガイド壁部４２は、その後端部が平面視略円弧状に閉塞されており、ドア５０がそれ以上後方へ移動できないように、上下それぞれ最も後側の凸部５１を規制するようになっている。
【００２７】
一方、前半のガイド壁部４２は、その前端部が開放されており、リーダーピン２２の出入時に、そのリーダーピン２２の出入を妨げないような位置（この図示のものはピン保持部２４よりも後方側で、開口２０の開口幅の約半分程度）まで延設されている。また、傾斜壁部３０の近傍にも、ガイド壁部４２の延長線上に位置するように、後端部が開放されたガイド壁部４１が立設されている。このガイド壁部４１は、その後端部がリーダーピン２２の出入を妨げないように、ピン保持部２４の前端よりも後方側には延設されないようになっており、ドア５０は、その先端がガイド壁部４１に入り込んだ状態で、開口２０を閉塞するようになっている。
【００２８】
また、ガイド壁部４１及び前半のガイド壁部４２は、後半のガイド壁部４２よりも若干低くなるように形成されている。すなわち、例えばガイド壁部４１及び前半のガイド壁部４２の高さは約１ｍｍに形成され、後半のガイド壁部４２の高さは約１．５ｍｍに形成されている。これは、開口２０に、リーダーピン２２をチャックして引き出すドライブ装置側の引出手段が入り込めるスペースを確保するためである。したがって、後述するように、ガイド壁部４１及び前半のガイド壁部４２が低くなっている分、その前半部分（少なくとも開口２０を閉塞する部分）におけるドア５０の板幅（高さ）が、大きく（高く）なるように形成されている。
【００２９】
更に、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００３０】
以上、説明した上ケース１６と下ケース１８とは、開口２０の縁部の近傍に位置する各ビスボス３２、３６と、上記した各ビスボス６０、６２、６４に下側から図示しないビスがねじ込まれて固定（接合）される構成である。これによって、特に傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈して位置ずれしたりしない構成である。
【００３１】
また、その開口２０は、遮蔽部材としてのドア５０によって開閉されるようになっている。ドア５０は、少なくとも開口２０を閉塞する部分の板幅（高さ）が開口２０の開口高さと略同一に形成され、それより後側が若干小さく（低く）形成されるとともに、その板長が開口２０の開口幅よりも充分大きく形成されている。そして、所定の円周に沿って移動できるように、板厚方向に湾曲した平面視略円弧状に形成されている。
【００３２】
このドア５０は、その先端部がガイド壁部４１に入り込んだ状態で開口２０を閉塞し、上記した所定の円周に沿って略後方へスライド移動（回動）して開口２０を開放し、その先端近傍の外周面がビスボス３６近傍に達すると、開口２０を完全に開放する構成になっている。そして、開口２０を開放する際と反対方向にスライド移動（回動）することにより、開口２０を閉塞する構成になっている。
【００３３】
このように、ドア５０は、その移動軌跡である所定の円周に対応した円弧状に湾曲形成されており、その回動中心は、本実施の形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリー装置からの要求により決まる開口２０の開放面の角度等に応じて適宜決められればよい。
【００３４】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、下ケース１８の後部内壁１８Ｂ側に所定角度で傾斜配置された後述するメモリーボードＭを回避するために、斜めに切り欠かれている。なお、ドア５０の前端部内面及び／又は外面は、ガイド壁部４１間にスムーズに入り込めるようにテーパー面に形成されることが好ましい。
【００３５】
また、そのドア５０の上面及び下面には、ガイド壁部４２のガイド面（互いに対向している内面）と、ガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さ（例えば、ドア５０の板幅が異なる境界部分より前側は約０．５ｍｍ、後側は約１．５ｍｍ）になるように突設されている。なお、最後側の凸部５１が上下対称でないのは、ドア５０の後下部が斜めに切り欠かれていることによる。
【００３６】
このような凸部５１を設けると、ガイド壁部４１及びガイド壁部４２間の上ケース１６内面及び下ケース１８内面並びにガイド壁部４１及びガイド壁部４２のガイド面との摺動抵抗（摩擦）を低減することができ、ドア５０を抵抗少なく、スムーズに摺動させることが可能となる。更に、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるような心配はない。
【００３７】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド壁部４２の後端部に最後端側の凸部５１が当接している。
【００３８】
なお、操作突起５２露出用のスリット４０によってケース１２の内外が連通されるが、このスリット４０はビスボス３６と、ケース１２内の略全高に亘るドア５０によって常時ほぼ閉塞され、かつ、内壁としての遊動規制壁２８によって、リール１４に巻装された磁気テープＴへの塵埃等の付着が防止されるようになっている。
【００３９】
また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを、より一層防止できるようになっている。そして、ドア５０を開口２０閉塞方向へ付勢する付勢部材としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設されている。
【００４０】
すなわち、ドア５０の後端近傍の内周面には、背面視略Ｌ字状のばね保持部５４が上方に向かって一体的に突設され、下ケース１８の凹部４８近傍の内面には、円柱状のばね係止部５５が上方に向かって突設されている。そして、コイルばね５６の両端にはリング状の取付部５６Ａ、５６Ｂがそれぞれ形成されている。したがって、コイルばね５６は、その一方の取付部５６Ｂをばね係止部５５に上方から挿入し、他方の取付部５６Ａをばね保持部５４に上方から挿入することにより、上記した空間内に簡単に取り付けることができる。
【００４１】
また、上ケース１６には、ドア５０の開閉時に、ばね保持部５４の上端が摺接するリブ５７が、平面視略円弧状に立設されている。このリブ５７は、少なくともドア５０が移動（開放）し始める際には、ばね保持部５４の上端が摺接できるような位置及び長さに配設され、コイルばね５６の付勢力に抗して移動するばね保持部５４を好適にガイドすることにより、ドア５０がより安定して開放されるように（開放時にドア５０がコイルばね５６の付勢力によってブレないように）している。
【００４２】
また、このリブ５７を設けることにより、上記のようにして取り付けられたコイルばね５６の取付部５６Ａが、落下等による衝撃がケース１２に加えられてばね保持部５４を上昇してきても、そのばね保持部５４から外れないようにできる。なお、ばね係止部５５側も、その上端が上ケース１６の遊動規制壁２８とガイド壁部４２との間に挿入されることになるので、同様に、取付部５６Ｂがばね係止部５５から外れるのを防止することができる。
【００４３】
また、このような構成の記録テープカートリッジ１０（ケース１２）内にはメモリーボードＭが設けられる。このメモリーボードＭは、各記録テープカートリッジ１０毎に、その記録容量や記録形式等の各種情報を記憶されたカード型に形成され、非接触で読み取れるように、ＩＣチップやアンテナ等が組み込まれている。そして、例えば下ケース１８の右後部に配設されるようになっている。
【００４４】
すなわち、図３で示すように、メモリーボードＭは、右後角部側のビスボス６４の近傍で、所定角度の傾斜面に形成された後部内壁１８Ｂと、それより前方側に突設された支持突起１９とにより支持されて、所定角度、つまり、下面側から読み取るドライブ装置と、後壁側から読み取るライブラリー装置での検知が可能となるように、略４５°の傾斜角度で配置され、かつ、平面視でビスボス６２とビスボス６４を結ぶ仮想直線Ｔ上に、そのメモリーボードＭの一部がオーバーラップするように、好ましくはメモリーボードＭの中心が来るように配置されている。
【００４５】
このような位置にメモリーボードＭを配置すると、落下等の衝撃による位置ずれを抑制できるの当然ながら、ケース１２内におけるメモリーボードＭの位置精度を向上させることができる。すなわち、ケース１２内において、メモリーボードＭの配設位置が制限されることになるので、メモリーボードＭの位置をケース１２の外側から、より明確に把握できるようになる。したがって、そのメモリーボードＭにアクセスするライブラリー装置の読取装置やドライブ装置の読取書込装置との距離精度を向上させることができ、その読取装置や読取書込装置から送信される電磁波をメモリーボードＭのアンテナ全体で受けることが可能となるので、読み取り精度や書き込み精度を向上させることができる。
【００４６】
また、メモリーボードＭが近接配置されるビスボス６４は、図３で示すように、ドライブ装置への装填方向と平行で、かつドライブ装置に対する位置決め手段の１つである袋部２８Ａの基準面を通る仮想直線Ｓに対して近接配置されている。この仮想直線Ｓ上は、ドライブ装置に対して精度よく位置決めがなされる部位であり、この近傍に配置されたビスボス６４の近傍、好ましくは仮想直線Ｓともその一部がオーバーラップするようにメモリーボードＭを配置することにより、ドライブ装置に対する（読取書込装置に対する）メモリーボードＭの位置精度をより一層向上させることができる。
【００４７】
なお、図５で示すように、従来の記録テープカートリッジ７０では、ビスボス８０とビスボス８２を結ぶ仮想直線Ｕ上にメモリーボードＭはオーバーラップしていないが、基準面８８を通る仮想直線Ｖ上にはオーバーラップしている。したがって、このような構成だけでもドライブ装置に設けられた読取書込装置との相対位置を比較的容易に設定することができる。その他、下ケース１８の左後部には、その記録テープカートリッジ１０への記録可・不可が設定されるライトプロテクト（図示省略）が設けられるようになっており、ライトプロテクトを操作する操作突起（図示省略）が突出する開孔１７が穿設されている。
【００４８】
次に、本実施の形態の作用について説明する。上記構成の記録テープカートリッジ１０では、不使用時（保管時や運搬時等）には、開口２０がドア５０によって閉塞されている。具体的には、ドア５０は、コイルばね５６の付勢力によって、常時開口２０閉塞方向へ付勢されており、その先端部（前端部）が傾斜壁部３０近傍のガイド壁部４１に入り込む状態で開口２０を閉塞している。
【００４９】
各記録テープカートリッジ１０は、この状態でライブラリー装置に収納されている。そして、ロボットハンドに設けられた読取装置が各記録テープカートリッジ１０の後面（後壁）側からメモリーボードＭにアクセスし、それに記憶されている記録容量等の各種情報を読み取るとともに、その情報を制御装置に伝達する。これにより、各記録テープカートリッジ１０に最適な（各記録テープカートリッジ１０が記録・再生可能な）ドライブ装置が予め制御装置に認識される。
【００５０】
一方、磁気テープＴを使用する際には、記録テープカートリッジ１０を矢印Ａ方向に沿ってドライブ装置へ装填する。このドライブ装置は、メモリーボードＭに記憶された情報を読み取った結果、選ばれたドライブ装置であり、記録テープカートリッジ１０は、ライブラリー装置のロボットハンドによってスムーズに、かつ効率よく、そのドライブ装置に装填される。そして、この装填に伴って、ドライブ装置の開閉手段を構成する開閉部材（図示省略）が、前方へ開放しているスリット４０に進入し、ドア５０の操作突起５２に係合する。
【００５１】
この状態で、記録テープカートリッジ１０（ケース１２）を更に押し込むと、この押し込み力によってコイルばね５６の付勢力に抗しつつ、開閉部材が操作突起５２を後方へ移動させる（矢印Ａ方向へ装填されるケース１２に対して後方へ相対移動させる）。すると、その操作突起５２が突設されているドア５０は、凸部５１がガイド壁部４２によって案内されつつ、その湾曲方向に沿って平面視時計方向に回動する。
【００５２】
すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、ケース１２（記録テープカートリッジ１０）がドライブ装置に所定深さ装填されると、開口２０が完全に開放されるとともに位置決めされ、ドライブ装置に設けられた読取書込装置が、記録テープカートリッジ１０の下面側からメモリーボードＭにアクセスし、それに記憶されている各種情報を読み取り、更には必要に応じて個別の情報を書き込む。
【００５３】
こうして開口２０が開放された状態で記録テープカートリッジ１０がドライブ装置内で位置決めされると、ドア５０はそれ以上の回動（略後方への移動）が規制され、開放された開口２０からはドライブ装置の引出手段がケース１２内に進入し、この引出手段がピン保持部２４に位置決め保持されたリーダーピン２２を抜き出して、図示しない巻取リールに収容する。そして、その巻取リールとリール１４とを同期して回転駆動することにより、磁気テープＴは、巻取リールに巻き取られつつ順次ケース１２から引き出され、所定のテープ経路に沿って配設された記録再生ヘッド等によって情報の記録や再生が行われる。
【００５４】
一方、磁気テープＴがリール１４に巻き戻されて、記録テープカートリッジ１０をドライブ装置から排出する際には、記録テープカートリッジ１０は、位置決め状態が解除され、コイルばね５６の付勢力又は図示しないイジェクト機構によって矢印Ａ方向とは反対方向に移動される。そして、ドア５０は、その凸部５１がガイド壁部４２に案内されつつ、コイルばね５６の付勢力によって開口２０の閉塞方向へ回動する。そして、ドア５０の先端部がガイド壁部４１に入り込むことにより、開口２０が完全に閉塞され、初期状態に復帰する。
【００５５】
ここで、メモリーボードＭは、ケース１２内において、ビスボス６４の近傍で、かつ、平面視でビスボス６２とビスボス６４とを結ぶ仮想直線Ｔ上に、少なくともその一部がオーバーラップする（図示のものはメモリーボードＭの中心が仮想直線Ｔ上にある）ように配設位置が制限されているので、落下等の衝撃による位置ずれを抑制できるのはもちろん、ケース１２内におけるメモリーボードＭの位置精度を向上させることができる。したがって、そのメモリーボードＭにアクセスする読取装置や読取書込装置との距離精度を向上させることができ、読み取り精度や書き込み精度を向上させることができる。
【００５６】
また、更に、このメモリーボードＭが近接配置されるビスボス６４は、ドライブ装置への装填方向（矢印Ａ方向）と平行で、かつドライブ装置に対する記録テープカートリッジ１０の位置決めの基準となる袋部２８Ａの基準面を通る仮想直線Ｓに対して近接配置されているので、ドライブ装置に対する（読取書込装置に対する）メモリーボードＭの位置精度をより一層向上させることができる。したがって、読み取りエラーや書き込みエラーが発生しないようにできる。
【００５７】
【発明の効果】
以上、何れにしても本発明によれば、ケース内におけるメモリーの配設位置が制限されるので、そのメモリーにアクセスする読取装置や書込装置との距離精度を向上させることができ、読み取り精度や書き込み精度を向上させることができる。
【図面の簡単な説明】
【図１】記録テープカートリッジの概略斜視図
【図２】記録テープカートリッジの概略分解斜視図
【図３】下ケースの概略平面図
【図４】上ケースの概略平面図
【図５】従来の磁気テープカートリッジにおける下ケースの概略平面図
【図６】従来の磁気テープカートリッジの概略斜視図
【符号の説明】
１０　記録テープカートリッジ
１２　ケース
１４　リール
１６　上ケース
１８　下ケース
２０　開口
２２　リーダーピン
３２、３６　ビスボス
６０〜６４　ビスボス
【図１】
2004046943.tif 000003
【図２】
2004046943.tif 000004
【図３】
2004046943.tif 000005
【図４】
2004046943.tif 000006
【図５】
2004046943.tif 000007
【図６】
2004046943.tif 000008